(57)【特許請求の範囲】
【請求項１】
歯槽骨に植立されて人工歯根を形成するフィクスチャー（ｆｉｘｔｕｒｅ）と、上端部は補綴物（クラウン（Ｃｒｏｗｎ）または入れ歯（Ｄｅｎｔｕｒｅ））に結合され、下端部は中心軸方向への弾性たわみと復元力によってフィクスチャーの軸孔に弾性結合される締結レッグからなるアバットメントを有する歯科用インプラントにおいて、
前記フィクスチャーの軸孔の内側面の一定位置から下部に行くほど軸孔の内径が連続的に縮小されるフィクスチャーの軸孔の内側傾斜面が形成され、前記フィクスチャーの軸孔の内側傾斜面の一定位置で外側方向に陥没した締結溝のような凹凸部からなる第１締結部が備えられ、前記アバットメントの下部締結軸部の締結レッグの外周面には前記フィクスチャーの軸孔の内側傾斜面に形成された第１締結部に相補的に結合される締結突起からなる第１対応締結部が形成され、
前記第１締結部は、フィクスチャーの軸孔の内側傾斜面の円周方向に沿って少なくとも一つ形成され、円周方向全体にわたってリング状に形成されておらず、その結果、アバットメントをフィクスチャーに押し込んで締結させるときにアバットメントが一定の角度でのみフィクスチャーに締結され、アバットメントを円周方向に一定以上の回転力で回転させるときにはアバットメントの第１対応締結部が第１締結部から離脱することができるように構成され、
前記第１締結部と第１対応締結部との相補的結合によって前記アバットメントがフィクスチャー内に結合された状態で、第１対応締結部の締結突起が同一の垂直的位置のフィクスチャーの軸孔の内側傾斜面よりもさらに外側に突出していることにより、一定以下の回転力では、フィクスチャーに対してアバットメントの回転を防止する機能を行い、一定以上の回転力では前記アバットメントの下部締結軸部の締結レッグが内径方向に弾性的にたわみ、前記アバットメントが円周方向に回転して前記第１対応締結部の締結突起が第１締結部の締結溝から離脱し、その結果、前記第１対応締結部の締結突起は前記フィクスチャーの軸孔の内側傾斜面との弾性反発作用によってアバットメントをフィクスチャーから上部側に押し上げてアバットメントとフィクスチャーを自動的に分離させるように構成されたことを特徴とする、歯科用インプラント。
【請求項２】
第１締結部は、円弧形または非円弧形の締結溝で形成されたことを特徴とする、請求項１に記載の歯科用インプラント。
【請求項３】
歯槽骨に植立されて人工歯根を形成するフィクスチャー（ｆｉｘｔｕｒｅ）と、上端部は補綴物（クラウン（Ｃｒｏｗｎ）または入れ歯（Ｄｅｎｔｕｒｅ））に結合され、下端部は中心軸方向への弾性たわみと復元力によってフィクスチャーの軸孔に弾性結合される締結レッグからなるアバットメントを有する歯科用インプラントにおいて、
前記フィクスチャーの軸孔の内側面の一定位置から下部に行くほど軸孔の内径が連続的に縮小されるフィクスチャーの軸孔の内側傾斜面が形成され、前記フィクスチャーの軸孔の内側傾斜面の一定位置で外側方向に陥没した少なくとも一つの締結溝のような凹凸部からなる第１締結部が備えられ、前記アバットメントの下部締結軸部の締結レッグの外周面には前記フィクスチャーの軸孔の内側傾斜面に形成された第１締結部に相補的に結合される締結突起からなる第１対応締結部が形成され、
前記第１締結部は、フィクスチャーの軸孔の内側傾斜面の円周方向に沿って少なくとも一つ形成され、円周方向全体にわたってリング状に形成されておらず、その結果、アバットメントをフィクスチャーに押し込んで締結させるときにアバットメントが一定の角度でのみフィクスチャーに締結され、アバットメントを円周方向に一定以上の回転力で回転させるときにはアバットメントの第１対応締結部が第１締結部から離脱することができるように構成され、
前記アバットメントの下部締結軸部の一側に形成された締結レッグの外周面には、外径方向に突出するように形成され、アバットメントがフィクスチャーから垂直方向に離脱することを防止する機能を行う係止突起からなる第２対応締結部がさらに備えられ、前記フィクスチャーの軸孔の内側面には、前記第２対応締結部に対応して結合されるように外側方向に形成された係止顎からなる第２締結部がさらに備えられ、
前記第１締結部と第１対応締結部とが相互結合されると、前記第２対応締結部と第２締結部が同時に相互結合されてアバットメントとフィクスチャーとの軸方向結合力を補強し、アバットメントが回転して前記第１対応締結部が第１締結部から離脱すると、前記アバットメントの下部締結軸部の締結レッグが内径方向に弾性的にたわむことにより、前記第２対応締結部がフィクスチャーの軸孔の内側面に形成された第２締結部から自動離脱して、アバットメントがフィクスチャーから自動的に上部側に押し上げられて分離されることを特徴とする、歯科用インプラント。
【請求項４】
前記第２締結部は、陰刻の形態で円周方向全体にわたったリング状の係止顎で形成されるか、或いは第１締結部のように円周方向に沿って一定の角度ごとに形成されることを特徴とする、請求項３に記載の歯科用インプラント。
【請求項５】
前記第１締結部は、フィクスチャーの軸孔の内側傾斜面の最上端から始まって下方に一定の距離続く締結溝で形成され、アバットメントの第１対応締結部の締結突起をガイドしてフィクスチャーとアバットメントとの締結角度位置を容易に見つけることができるようにすることを特徴とする、請求項３に記載の歯科用インプラント。
【発明の詳細な説明】
【技術分野】
【０００１】
本発明は、歯槽骨に植立結合される人工歯根を形成して歯補綴物を固定する歯科用インプラントに係り、さらに詳細には、歯科用インプラントのフィクスチャー（ｆｉｘｔｕｒｅ）とアバットメント（ａｂｕｔｍｅｎｔ）との結合構造を改善して、アバットメントをフィクスチャーから分離させるときに容易に分離することができるようにし、垂直咬合力を受けたときにさらに効率よく緩衝させることができるようにした歯科用インプラントに関する。
【背景技術】
【０００２】
一般に、インプラント（Ｉｍｐｌａｎｔ）は、喪失した自然歯の代替物自体を意味するか、或いは、フィクスチャーを顎骨に植えて所定の期間顎骨と融合されるようにした後、その上に締結部材と人工歯などの補綴物を固定することにより、歯の本来機能を回復させる歯科的施術を意味する。
【０００３】
一般補綴物や入れ歯は、時間が経過すると、周囲の歯と骨が損傷してしまうが、インプラントは、周囲の歯の組織を損傷しないようにし、天然歯と機能や形状が同じでありながらも虫歯が生じないため、長期間使用することができるという利点がある。
【０００４】
また、インプラントは、単一欠損歯を修復するだけでなく、部分無歯および完全無歯患者に義歯の機能を増進させ、歯補綴修復の審美的な面を改善させる。さらに周囲の支持骨組織に加えられる過度な応力を分散させるのはもとより、歯列の安定化に役立てる。
【０００５】
このようなインプラントの場合には、顎骨に植立されるフィクスチャーと、前記フィクスチャーの上部軸孔にアバットメントの締結部が結合され、前記アバットメントの上部には補綴物が固定される構造である。
【０００６】
従来のインプラント構造は、フィクスチャーとアバットメントがねじ式結合構造、または、フィクスチャーの締結溝とアバットメントの締結突起とが雌雄間で相補的に結合する弾性結合構造である。
【０００７】
従来のねじ式結合構造は、施術者が食べ物を咀嚼して摂取する行為などによって口腔内での持続的な荷重が繰り返される場合、スクリューが微細振動し、振動幅が漸次大きくなることにより自体の回転が行われてねじ結合状態が緩くなる。これは、フィクスチャーとアバットメントとの間に遊隔を発生させるので、アバットメント、すなわち人工歯が揺れて患者は食べ物を円滑に咀嚼することができなくなり、人工歯の周辺に望ましくない咀嚼圧を誘発させるという問題があった。
【０００８】
また、上述したような従来技術は、フィクスチャーにアバットメントを締結するとき、正確な締結位置を取っていない状態でスクリュー締結が行われる問題が発生するおそれがあり、これにより、人工歯と歯槽骨が損傷してしまう問題が発生することがあった。
【０００９】
また、上述した従来技術のような構造を持つインプラントユニットは、狭い口腔内の空間でスクリューを締結するのに多くの困難さがあり、特に施術部位が奥歯側に位置しているか或いは口を大きく広げることができない患者の場合には、さらに施術が難しいという問題があった。
【００１０】
かかる従来の問題点を解消するための先行技術としては、韓国登録特許第１０−０６６８３６８号の歯科用インプラントが提案されている。
【００１１】
このような従来技術は、上部に軸孔を形成し、顎骨に植立されるフィクスチャーと、下部に前記軸孔に挿入される形状記憶合金の締結レッグを形成し、前記締結レッグを介して前記フィクスチャーとアバットメントとを弾性結合で連結させて食べ物を咀嚼することができるようにするアバットメントとを含む歯科用インプラントに関する。このとき、従来技術は、フィクスチャーの軸孔の内側面に、陰刻からなるで締結溝をフィクスチャーの内側面の垂直面部位に形成する。
【００１２】
このような従来のフィクスチャーとアバットメント間の弾性結合構造は、ねじ式結合構造の問題点を効果的に改善させて多くの技術的な進歩をもたらしており、実際の使用上でフィクスチャー内にアバットメントを挿入させると、締結レッグの締結突起が弾性的にフィクスチャーの締結溝に自動的に結合されるので、使用上非常に便利である。
【００１３】
しかし、このような従来のフィクスチャーとアバットメントとの弾性結合構造は、フィクスチャーからアバットメントを分離させようとする施術の場合には、多少の不便さがあり、垂直咬合力が加えられたときに効果的に緩衝機能を行うことができないという問題点があった。
【００１４】
すなわち、フィクスチャーからアバットメントを分離させるためには、アバットメントをフィクスチャーに対して上部側に強制的に引っ張って、締結レッグに形成された締結突起または締結溝がフィクスチャーの軸孔の内側面に対応形成された締結溝または締結突起から離脱するように上部方向に引っ張って分離させる施術を行わなければならないか、或いは、フィクスチャーに対してアバットメントを回転させた後、上部方向に引っ張って分離させる方法があった。
【００１５】
ところが、このようにアバットメントをフィクスチャーに対して上部側に強制的に引っ張ることは、フィクスチャーを介して患者の歯槽骨にも大きな力を加えることにより、結果的に患者の歯槽骨に無理な力を与えて損傷させるリスクが大きいという問題点があった。また、アバットメントとフィクスチャーの軸孔の内側面に形成された締結突起と締結溝からなる対応締結部と締結部とが反復着脱によって摩耗して結合力が減少するという問題点があった。さらに、フィクスチャーの上端面が歯茎の奥深くに植立されているときは、韓国登録特許第１０−１３０９４１７号に開示された、フィクスチャーからアバットメントを垂直方向に離脱させて分離させる取出し機構を位置させるのが容易でないという問題点があった。
【００１６】
別の結合方式の例は、フィクスチャーの軸孔内側面の一定の垂直位置で円周方向に沿って一定角度（例えば、９０度）ごとに陰刻からなる締結溝が形成され、これに対応してアバットメントの下部締結軸部の締結レッグ（韓国登録特許第１０−０６６８３６８）に締結突起が相補的に対応形成されたインプラントにおいては、アバットメントとフィクスチャーとの分離時にアバットメントをフィクスチャーに対して円周方向に回転させて、フィクスチャーの軸孔内側面の一定の垂直位置に形成された締結溝からアバットメントの締結突起を離脱させた後、フィクスチャーの上部側に強制的に引っ張ってアバットメントをフィクスチャーから分離させなければならないが、この場合には、インプラントの大きさが小さいため、どれほど回転させた後に上部方向に引っ張らなければならないのか正確な回転量を感知することが容易ではなかったうえ、場合によってはあまり多くの力を与えて過度に回転して再び締結されてしまう状況が発生したりもする問題点、適切な回転を成功的にさせたとしても再び垂直方向にかなりの力を加えて分離させなければならない問題点、及び垂直咬合力に対する効果的な緩衝機能を行うことができない問題点があった。
【００１７】
したがって、かかる問題点を防止するためには、アバットメントをフィクスチャーに対して円周方向または周方向に回転させると、過度な回転によって再び締結される負担なしに締結部が分離され、アバットメントをフィクスチャーから非常に少ない力で上部側に引っ張って分離することができる構造が好ましい。しかし、従来技術では、このようなアバットメントとフィクスチャーの自然な分離施術が不可能であるという問題点があった。
【００１８】
また、このような従来技術では、アバットメントをフィクスチャーに対して上部側に強制的に引っ張る過程で、施術者は大きな力を必要とし、このような施術はインプラント施術者に少なからぬ心的負担として作用する問題点もあった。
【００１９】
また、このような従来技術では、側方の圧力に対する緩衝機能はあるものの、垂直咬合に対する緩衝機能はほとんど期待することができない構造であるという問題点があった。よって、垂直咬合圧を効率よく緩衝させることができる構造が求められた。また、このような従来技術では、フィクスチャー、アバットメント及び歯槽骨に損傷を加えることなくフィクスチャーからアバットメントを分離させるためには、韓国登録特許第１０−１３０９４１７号に開示されているような取出し機構を使用しなければならないが、もしフィクスチャーが歯槽骨の上端から奥深く植立されている場合にはこのような機構を適用させることができないという問題点があった。
【発明の概要】
【発明が解決しようとする課題】
【００２０】
本発明の目的は、かかる従来の問題点を解消させるためになされたもので、その目的は、アバットメントをフィクスチャーから分離させる過程でアバットメントを円周方向に回転させて、アバットメントの下部締結軸部に形成された対応締結部がフィクスチャーの軸孔の内側面に対応形成された締結部から少ない力でも互いに分離されるようにし、たとえ多くの力を与えて回転させても、再び一定の角度を回転してフィクスチャーとアバットメントとが再締結されることが起こる可能性が低く、反復着脱にも拘わらず垂直方向の離脱防止のための締結力が減少せず、アバットメントをフィクスチャーから非常に少ない力で上部側に引っ張って容易に分離させることができるように改善された歯科用インプラントを提供することにある。
【００２１】
また、本発明の他の目的は、アバットメントを回転させてフィクスチャーから分離すると、アバットメントが上部側に自動的に押し上げられることにより、施術者がアバットメントとフィクスチャーの分離状態を容易に直感することができ、それによるインプラント施術を難しくなくかつ心的負担感なく容易に行うことができるように改善された歯科用インプラントを提供することにある。
【００２２】
また、本発明の別の目的は、アバットメントの締結軸部に別途の回転防止形状を付与しなくても、フィクスチャーの軸孔内で一定以下の回転力に対して回転が防止される改善された歯科用インプラントを提供することにあり、さらに別の目的は、歯槽骨の上端からフィクスチャーが奥深く植立されている場合でもフィクスチャーとアバットメントとの脱着が容易である歯科用インプラントを提供することにある。
【００２３】
また、本発明のさらに別の目的は、垂直咬合力を効果的に緩衝させることができるように改善された歯科用インプラントを提供することにある。
【００２４】
以下では、説明の便宜のために、一定以下の回転力に対してはアバットメントがフィクスチャーに対して回転することを防止する機能を「回転防止機能」、アバットメントがフィクスチャーから垂直方向に離脱することを防止する機能を「垂直離脱防止機能」と簡略に定義する。
【課題を解決するための手段】
【００２５】
上記の目的を達成するために、本発明は、歯槽骨に植立されて人工歯根を形成するフィクスチャー（ｆｉｘｔｕｒｅ）と、上端部は補綴物（クラウン（Ｃｒｏｗｎ）または入れ歯（Ｄｅｎｔｕｒｅ））と結合され、下端部は下部締結軸部に形成された弾性締結レッグのアバットメント垂直中心軸方向への弾性たわみと復元力によってフィクスチャーの軸孔に弾性結合されるアバットメントとからなる歯科用インプラントにおいて、
前記フィクスチャーの軸孔の内側面の一定位置から下部に行くほど軸孔の内径が連続的に縮小する傾斜面が形成され、前記傾斜面の一定位置で軸孔の外側方向に陥没した少なくとも一つの締結溝のような凹凸部からなる第１締結部が備えられ、前記フィクスチャーの軸孔の内側傾斜面に形成された第１締結部に相補的に結合される締結突起からなる第１対応締結部がアバットメントの下部締結軸部に形成された締結レッグの外周面に形成され、
前記第１締結部と第１対応締結部との相補的結合によって一定以下の回転力に対してアバットメントの回転を防止する機能を行い、前記アバットメントがフィクスチャー内に結合された状態で、一定以上の回転力によって前記アバットメントが円周方向に回転して、締結突起からなる前記第１対応締結部が締結溝からなる第１締結部から離脱すると、前記第１対応締結部の締結突起は、前記フィクスチャーの軸孔の内側面に形成された傾斜面との弾性反発作用によってアバットメントをフィクスチャーから上部側に押し上げてアバットメントとフィクスチャーを自動的に分離させるように構成される。
【００２６】
好ましくは、フィクスチャーにアバットメントを締結させるとき、アバットメントの下部締結軸部の締結レッグの外周面に形成された対応締結部の締結突起が、フィクスチャーの軸孔の内側傾斜面に形成された締結溝の位置に容易に入り込み、フィクスチャーとアバットメントとの締結位置を見つけるのが難しくないようにするために、前記フィクスチャーの軸孔の内側面に形成された傾斜面に形成される締結溝は、傾斜面の最上端から始まって下方に一定の距離続く締結溝に形成することができる。このとき、アバットメントの下部締結軸部の締結レッグの外周面に形成される対応締結部の締結突起とフィクスチャーの軸孔の内側傾斜面に形成された締結部の締結溝は、円周方向の水平長さは同一でなければならないが、垂直長さは同一でも異なってもよい。
【００２７】
好ましくは、前記第１締結部はフィクスチャーの軸孔の内側傾斜面の円周方向に沿って少なくとも一つ形成され、アバットメントをフィクスチャーに押し込んで締結させるときにアバットメントが一定の角度でのみフィクスチャーに締結されるように構成される。
【００２８】
好ましくは、対応締結部が形成されている面は、フィクスチャーの軸孔の内側傾斜面と同一の傾斜度で形成できる。フィクスチャーとアバットメントとが軸結合されたとき、アバットメントの下部締結軸部の締結レッグの外周面に形成された対応締結部の締結突起は、同じ垂直的位置の軸孔の内側傾斜面よりもさらに外側に突出している形態をなす。
【００２９】
より好ましくは、フィクスチャーの軸孔の内側傾斜面の一定部位に外側方向に形成される第１締結部である締結溝は、フィクスチャーの軸孔の内側傾斜面と同じ傾斜面をなすことができる。
【００３０】
より好ましくは、第１締結部は、円弧形または非円弧形の締結溝で形成される。
【００３１】
より好ましくは、第１対応締結部が形成されるアバットメントの下部締結軸部の締結レッグの外周面部位は、フィクスチャーの軸孔の内側傾斜面と同じ傾斜度を形成することができる。
【００３２】
最も好ましくは、前記アバットメントの下部締結軸部の締結レッグに形成された第１対応締結部の下側または上側に、アバットメントの外径方向に突出して垂直離脱防止機能を主機能とする係止突起からなる第２対応締結部をさらに備え、前記フィクスチャーの軸孔の内側面には、前記第２対応締結部に対応して結合されるように外側方向に形成された係止顎からなる第２締結部をさらに含み、前記第１締結部と第１対応締結部とが相互結合されると、前記第２対応締結部と第２締結部とが同時に相互結合されてアバットメントとフィクスチャーとの軸方向結合力を補強し、アバットメントが回転して前記第１対応締結部が第１締結部から離脱すると、前記アバットメントの下部締結軸部の締結レッグが内径方向に弾性たわみによって前記垂直離脱防止機能を主機能とする係止突起からなる第２対応締結部が、フィクスチャーの軸孔の内側面に形成された第２締結部から自動的に離脱して、第１対応締結部の締結突起と軸孔の内側傾斜面との相互弾性反発作用によってアバットメントがフィクスチャーから自動的に上部側に押し上げられて分離されるように構成される。
【００３３】
また、本発明は、好ましくは、前記第１対応締結部が形成されるアバットメントの対応面は、前記フィクスチャーの軸孔の内側面に形成された第１締結部が形成された面と対応するように形成できる。
【００３４】
本発明は、第１締結部と第２締結部とが傾斜面に一緒に形成されるか、或いは第１締結部のみフィクスチャーの軸孔の内側傾斜面に形成し、第２締結部はフィクスチャーの軸孔の垂直面に形成することができる。一方、垂直離脱防止機能が主機能である第２締結部は、陰刻の形態で円周方向全体にわたったリング状（環状）の係止顎で形成されるか、或いは第１締結部のように円周方向に沿って一定の角度（例えば、９０度、１２０度、１８０度）ごとに形成され得る。また、回転防止機能が主機能である第１締結部及び第１対応締結部と、垂直離脱防止機能が主機能である第２締結部及び第２対応締結部との位置が上下に互いに入れ替わってもよい。しかし、このときにも一定以下の回転力に対して回転防止機能を主機能とするフィクスチャーの軸孔内側面の第１締結部の締結溝はフィクスチャーの軸孔の内側傾斜面に形成されなければならない。
【００３５】
また、本発明は、回転防止機能を主とする第１締結部と垂直離脱防止機能を主とする第２締結部の機能を、フィクスチャーの軸孔の内側傾斜面に形成する第１締結部に統合することにより、１つの締結部のみで形成することができる。すなわち、フィクスチャーの軸孔の内側面に形成された傾斜面部位の上端に、締結段部を有する締結溝からなる締結部を形成させ、アバットメントの下部締結軸部に、フィクスチャーの締結部と相補的に結合される締結突起からなる対応締結部を形成させることにより、垂直離脱防止と回転防止を同時に行い、締結状態でアバットメントの回転の際に対応締結部がフィクスチャーの軸孔の内側傾斜面と相互作用してアバットメントを上部側に押し上げるように一つの締結部と一つの対応締結部だけ形成できる。
【００３６】
また、本発明は、アバットメントに形成された締結突起とフィクスチャーの軸孔の内側傾斜面に形成された締結溝とが互いに入れ替わってもよい。例えば、アバットメントの対応締結部は陰刻の締結溝で形成され、フィクスチャーの軸孔内側面の締結部はこれに対応する締結突起で形成できる。このとき、アバットメントの下部締結軸部の締結レッグに形成された締結溝は、上部から下部に行くほど直径が減少する傾斜面に内側を向かって形成される。また、本発明は、アバットメントを回転させ易いように、アバットメントの上部側に図１に示すように装着溝を形成することができ、溝の数と位置はアバットメント下部の締結レッグの数と位置に対応するようにすることができる。
【発明の効果】
【００３７】
本発明によれば、アバットメントの下部締結軸部の対応面には、回転防止機能が主機能である第１対応締結部が形成され、フィクスチャーの軸孔の内側傾斜面には、前記第１対応締結部と対応する位置で前記第１対応締結部と相補的に結合する第１締結部が形成される。
【００３８】
したがって、本発明によれば、アバットメントをフィクスチャーから分離させる過程で、アバットメントをフィクスチャーに対して回転させると、第１対応締結部が第１締結部から離脱しながら、フィクスチャーの軸孔の内側傾斜面と第１対応締結部の締結突起の弾性反発作用によって自動的にアバットメントをフィクスチャーから上部側に押し上げてアバットメントとフィクスチャーを容易に分離させることができる。
【００３９】
このように、本発明は、アバットメントがフィクスチャーに締結された状態で、アバットメントをフィクスチャーに対して回転させると、アバットメントが自動的に上部側に押し上げられて少ない力でも互いに分離するようにすることができ、この状態でアバットメントをフィクスチャーに対して上部側に軽く引っ張って容易に分離させることができる。また、本発明は、アバットメントをフィクスチャーに対して回転させると、アバットメントが自動的に上部側に押し上げられるため、さらに回転しても再締結されることを防止することができる。
【００４０】
また、本発明によれば、アバットメントをフィクスチャーから分離させる過程で、アバットメントをフィクスチャーに対して回転させると、アバットメントがフィクスチャーから分離されて上部側に自動的に突出することにより、施術者がアバットメントとフィクスチャーとの分離状態を容易に直感することができ、それによるインプラント手術を難しくなくかつ心的負担感なく容易に行うことができるので、非常に便利に施術することができる。また、本発明によれば、アバットメントに別途の回転防止のための多角形の形状を付与する必要がない。また、本発明によれば、アバットメントに垂直咬合力が加えられたとき、傾斜面によってより効率よく垂直咬合圧に対する緩衝機能を行うことができる。
【００４１】
また、本発明によれば、第１締結部が形成されるフィクスチャーの軸孔の内側傾斜面に傾斜面の最上端から下方に続く締結溝からなる回転防止用第１締結部を形成すると、アバットメントをフィクスチャーの軸孔に挿入して締結させるとき、アバットメントの下部締結軸部の締結レッグに形成された対応締結部の締結突起をガイドする機能を行うことができるので、容易にフィクスチャーとアバットメントとの締結位置を見つけることができる。
【図面の簡単な説明】
【００４２】
【図１】本発明に係る歯科用インプラントにおいてアバットメントが締結レッグタイプでフィクスチャーに結合される構造を示す外観斜視図である。
【図２】本発明に係る歯科用インプラントの構造を断面で示す縦断面図である。
【図３ａ】本発明に係る歯科用インプラントで回転防止機能を主機能とする第１対応締結部の平断面図であって、図２のＡ−Ａ線に沿った平断面図である。
【図３ｂ】本発明に係る歯科用インプラントで回転防止機能を主機能とする第１締結部の平断面図であって、図２のＢ−Ｂ線に沿った平断面図である。
【図４ａ】本発明に係る歯科用インプラントでアバットメントとフィクスチャーとの結合中間状態の縦断面図である。
【図４ｂ】本発明に係る歯科用インプラントでアバットメントとフィクスチャーとが結合された状態の縦断面図である。
【図５ａ】本発明に係る歯科用インプラントでアバットメントとフィクスチャーとの結合中間過程を示す平断面図である。
【図５ｂ】本発明に係る歯科用インプラントでアバットメントとフィクスチャーとが結合された状態の平断面図である。
【図６ａ】本発明に係る歯科用インプラントでアバットメントをフィクスチャー内で円周方向に回転させた解除中間過程を示す縦断面図である。
【図６ｂ】本発明に係る歯科用インプラントでアバットメントの回転防止機能を主機能とする第１対応締結部が固定値の傾斜面によって上昇してアバットメントがフィクスチャーから自動的に上部側に押し上げられた状態の縦断面図ある。
【図７】本発明の他の実施例によって、フィクスチャーの軸孔の内側傾斜面の最上端から下方に続く締結溝が形成された構造を示す縦断面図である。
【発明を実施するための形態】
【００４３】
以下、本発明の好適な実施例を添付図面を参照してより詳細に説明する。
【００４４】
本発明に係る歯科用インプラント１００は、図１及び図２に示すように、歯槽骨（図示せず）に植立されて人工歯根を形成するフィクスチャー（ｆｉｘｔｕｒｅ）１１０と、下端部は前記フィクスチャー１１０に結合され、上端部は補綴物（クラウン（Ｃｒｏｗｎ）または入れ歯（Ｄｅｎｔｕｒｅ））に結合されるアバットメント１２０とを備え、前記フィクスチャー１１０とアバットメント１２０を着脱式で弾性結合させてインプラント施術を行う。
【００４５】
本発明に係る歯科用インプラント１００は、前記アバットメント１２０の下部に形成されてフィクスチャー１１０に挿入される少なくとも一つの締結レッグ１２２に形成され、一定以下の回転力に対して回転防止機能を主機能とする第１対応締結部１３０を備えるが、このような第１対応締結部１３０は、それぞれの締結レッグ１２２の下部側の外周面に形成された対応傾斜面に、円弧形の締結突起１３２からなる。このとき、アバットメントの下部締結軸部に形成された締結レッグの外周面に形成される対応傾斜面は、フィクスチャーの軸孔の内側面に形成される傾斜面と同一の傾斜度を有するが、そうでない場合もある。そして、このよう締結突起は非円弧形であってもよい。すなわち、円弧形だけでなく、多様な形態を有することができる。例えば、円周方向に沿って一定区間帯状の突出部の形態を有することもできる。
【００４６】
このような一定以下の回転力に対する回転防止機能を主な機能とする第１対応締結部１３０は、図３ａの平断面に示されているように、例えば、４つの締結レッグ１２２上にそれぞれ形成された円弧状の締結突起１３２からなるか、或いは一部の締結レッグ（図示せず）上にのみ形成できる。
【００４７】
また、本発明に係る歯科用インプラント１００は、前記フィクスチャー１１０の軸孔内側面の垂直方向の一定位置から下部に行くほど内径が連続的に縮小するように形成されたフィクスチャーの軸孔の内側傾斜面１４０を含む。
【００４８】
すなわち、このようなフィクスチャーの軸孔の内側傾斜面１４０は、フィクスチャー１１０の軸孔内側面の一定位置から下部方向に、上側が広く下側が狭い上広下狭の構造で連続的になされた円錐形の構造である。
【００４９】
また、本発明に係る歯科用インプラント１００は、前記フィクスチャーの軸孔の内側傾斜面１４０上に外側方向に陥没し、第１対応締結部１３０に相補的に結合して回転防止機能をする第１締結部１５０を含む。このとき、第１対応締結部と第１締結部との垂直長さが互いに異なり得るが、円周方向の水平距離は数値的に機械的許容誤差内で一致しなければならない。これにより、一定以下の回転力に対する過度なマイクロ動揺が起こらない。
【００５０】
このような第１締結部１５０は、傾斜面１４０上で前記第１対応締結部１３０の円弧形の締結突起１３２に対応して相補的に結合する円弧状の締結溝１５２からなることができる。このとき、締結溝や締結突起の形態は多様であり、各締結レッグに形成されたそれぞれの第１対応締結部の形態が同一でない場合もある。これにより、第１対応締結部に相補的に結合される第１締結部の形態もそれぞれ異なり得る。
【００５１】
また、フィクスチャーとアバットメントの締結位置を容易に見つけることができるように、第１締結部は、傾斜面の最上端から始まって下方に続く締結溝からなることができ、このとき、第１締結部の締結溝と第１対応締結部の締結突起は、円周方向の距離は締結溝と締結突起がメスとオスの形で結合できるように機械加工の数値的誤差内で同一であるが、締結溝と締結突起の上下垂直的長さは一致しないこともある。
【００５２】
このような回転防止機能を主な機能とする第１締結部１５０は、図３ｂの平断面に示されているように、例えば４つの円弧形締結突起１３２からなる第１対応締結部１３０にそれぞれ対応する４つの円弧形の締結溝１５２からなることができる。
【００５３】
以下、参照図面に関連して、前記第１対応締結部１３０が円弧形の締結突起１３２からなり、第１締結部１５０がこれに対応して結合される円弧形の締結溝１５２からなる構造について詳細に説明されているが、当業者は、前記第１対応締結部１３０が円弧形の締結溝（図示せず）からなり、第１締結部１５０がこれに対応して結合される円弧形の締結突起（図示せず）からなる構造に対しても同一の結合及び分離作用が適用できることを容易に分かる。本発明は、このような二つの構造の両方ともを含むものと解釈されるべきである。
【００５４】
そして、本発明は、前記第１対応締結部１３０の下側または上側に、アバットメント１２０の外径方向に突出し、垂直離脱防止機能を主な機能とする第２対応締結部１６０をさらに含むことができる。
【００５５】
本発明は、前記第１締結部と第１対応締結部が第２締結部と第２対応締結部の機能まで兼ねることができる。
【００５６】
このような垂直離脱防止機能を主機能とする第２対応締結部１６０は、図２に示すように、アバットメント１２０の外径方向に突出した締結突起の上端面は第２対応締結部締結平面１６２を形成し、このように締結突起からなって垂直離脱防止機能を主機能とする第２対応締結部の縦断面は、下部に行くほど半径が減る断面とすることができる。
【００５７】
また、前記フィクスチャーの軸孔の内側面には、外側方向に陰刻の形態で形成され、前記第２対応締結部１６０に対応して結合される係止顎からなる第２締結部１７０をさらに含むことができる。
【００５８】
また、前記第１締結部と第２締結部を一つの締結部に統合して構成することもできる。
【００５９】
このような係止顎からなる第２締結部１７０は、前記垂直離脱防止機能を主機能とする第２対応締結部１６０の第２対応締結部締結平面１６２に対応する第２締結部締結平面１７２を含む構造である。また、前記第２締結部締結平面と第２対応締結部締結平面が垂直中心軸１と出会ってなす角度は様々であり得る。
【００６０】
このような第２対応締結部１６０と第２締結部１７０は、前記第１対応締結部１３０が第１締結部１５０から離脱分離された状態では、図４ａに示すように、前記締結レッグ１２２の内径方向への弾性たわみによって前記第２対応締結部１６０が第２締結部１７０から自動的に離脱した状態である。
【００６１】
しかし、前記第１対応締結部１３０と第１締結部１５０とが相互結合されると、図４ｂに示すように、第２対応締結部１６０と第２締結部１７０は、同時に相互結合され、アバットメント１２０とフィクスチャー１１０との軸方向の結合力を補強する。このような作用により、垂直離脱を防止する機能を主な機能とする第２対応締結部と第２締結部は、反復脱着にも拘らず、損傷することなく垂直離脱防止結合力を維持し続けることができる。
【００６２】
締結突起１３２からなる第１対応締結部１３０は、それぞれの締結レッグ１２２の下部外周面に形成された対応傾斜面１８０上に形成され、第１締結部１５０の締結溝１５２に対応して結合される。
【００６３】
このように第１対応締結部１３０が形成される締結レッグ１２２の対応傾斜面１８０は、第１締結部１５０が形成されたフィクスチャー１１０の軸孔の内側傾斜面１４０と同じ傾斜度を持つように形成することもできる。
【００６４】
上述のように構成された本発明の歯科用インプラント１００は、アバットメント１２０をフィクスチャー１１０に結合させようとする場合には、図４ａおよび図５ａに示すように、アバットメント１２０をフィクスチャー１１０の軸孔１１２に完全に押し込んでアバットメント１２０を円周方向に回転させる。
【００６５】
したがって、アバットメント１２０のそれぞれの締結レッグ１２２に形成された第１対応締結部１３０は、その円弧形の締結突起１３２が、フィクスチャー１１０の傾斜面１４０に形成された第１締結部１５０の円弧形の締結溝１５２に対応して、図４ｂ及び図５ｂに示すように結合される。
【００６６】
これとは逆に、アバットメント１２０とフィクスチャー１１０とが結合された状態から、アバットメント１２０をフィクスチャー１１０から分離させようとする場合、アバットメント１２０をフィクスチャー１１０内で円周方向に回転させる。
【００６７】
このような状態が図６ａに示されている。すなわち、本発明の歯科用インプラント１００は、前記アバットメント１２０がフィクスチャー１１０内に結合された状態で、前記アバットメント１２０を円周方向に回転させると、前記第１対応締結部１３０が第１締結部１５０から円周方向に抜けて離脱し、同時に垂直離脱防止機能を主な機能とする第２対応締結部１６０も第２締結部１７０から自動的に抜けてしまう。
【００６８】
このように、フィクスチャーに対してアバットメントの円周方向への回転に対して回転防止機能を主な機能とする第１対応締結部１３０が一定以上の回転力によって第１締結部１５０から円周方向に回転して離脱し、垂直離脱防止機能を主な機能とする第２対応締結部１６０が第２締結部１７０から抜けると、締結レッグ１２２は、アバットメント１２０の放射状の内側（内径方向）に撓んだ状態なので、その弾性復元力により第１対応締結部１３０の締結突起がフィクスチャー１１０の軸孔の内側傾斜面１４０に対して押す作用をする。
【００６９】
したがって、前記第１対応締結部１３０は、フィクスチャーの軸孔の内側傾斜面１４０から上部側に滑りながら、図６ｂに示すように、アバットメント１２０をフィクスチャー１１０から上部側に押し上げてアバットメント１２０とフィクスチャー１１０を自然に分離させる。
【００７０】
このように本発明によれば、アバットメント１２０をフィクスチャー１１０から分離させる過程で、アバットメント１２０をフィクスチャー１１０に対して回転させると、第１対応締結部１３０が第１締結部１５０から離脱しながら傾斜面１４０との弾性反発作用によってアバットメント１２０をフィクスチャー１１０から上部側に押し上げてアバットメント１２０とフィクスチャー１１０を容易に分離させる。
【００７１】
したがって、本発明は、アバットメント１２０をフィクスチャー１１０に対して少ない力でも分離させることができ、患者の歯槽骨に従来のように大きな引力を作用させないことができ、また、反復着脱にも拘わらずフィクスチャーに対するアバットメントの垂直離脱防止結合力の減少が起こらない。そして、第１締結部から第１対応締結部が離脱すると、自動的にアバットメントを上部に押し上げるため、回転量が多くても再び締結されない。
【００７２】
このように、本発明によれば、インプラント施術の際に患者の負傷のリスクを最小限に抑えることができるのはもとより、アバットメント１２０がフィクスチャー１１０から分離されて上部側に自動的に押し上げることにより、施術者がアバットメント１２０とフィクスチャー１１０の分離状態を容易に直感することができ、それによるインプラント施術を難しくなくかつ心的負担感なく容易に行うことができるため、非常に便利に施術することができる。
【００７３】
本発明は、図面を参照して特定の実施例について詳細に上述したが、本発明は、このような特定の構造に限定されるものではない。当該分野における通常の知識を有する者であれば、以下の特許請求の範囲に記載された本発明の技術思想および権利範囲を逸脱することなく、本発明に多様な修正または変更を加えることができるだろう。例えば、フィクスチャーの軸孔の内側面または下面に多角形状を形成させて歯槽骨へのフィクスチャーの植立の際に強い回転力をフィクスチャーに伝達するようにすることができる。例えば、第１締結部と第２締結部の機能を統合した一つの締結部のみ形成することもできる。この時、変わりのない構造は、フィクスチャーとアバットメントとの締結状態でフィクスチャーからアバットメントを回転させたとき、アバットメントの下部締結軸部に形成された対応締結部がフィクスチャーの軸孔の内側面に形成された軸孔の内側傾斜面に接触して弾性反発作用でアバットメントを上部側に押し上げてフィクスチャーからアバットメントの分離を容易に行うことができるように構成される。さらに、回転防止機能を主な機能とする第１締結部と第１対応締結部の形状が１００％対応しないことがある。すなわち、第１締結部と第１対応締結部の形状が１００％相補的に対応しなくても、一定以下の回転力に対して回転防止機能を行うことができればよい。別の例は、それぞれの締結レッグに第１及び第２対応締結部を全て形成しなくもよい。すなわち、一部の締結レッグにのみ形成させることもできる。さらに別の例は、第１締結部や第１対応締結部は、円弧形ではなく、他の形態を備えることもできる。また、前記締結レッグ１２２は、図面上で４つからなるものと例示されているが、１つ〜６つ、またはそれ以上の多数からなり、それぞれの締結レッグ１２２に第１対応締結部１３０が形成され、これに対応して第１締結部１５０が形成されることもできる。また、第２締結部は、垂直中心軸に対して様々な締結角度と形態に変形できる。すなわち、第２対応締結部の締結平面を平面に形成せず、緩やかな傾斜を有するように形成することもできる。そして、さらに別の例は、第１締結部が形成される傾斜面を連続した面ではなく、階段式で形成することもできる。一方、アバットメントがフィクスチャーに結合される方式がどのような方式であれ、締結突起および締結溝の弾性反発作用によって互いに弾性結合される方式で締結された状態で、フィクスチャーに対してアバットメントを回転させると、アバットメントの下部締結軸部上に形成された対応締結部の締結突起とフィクスチャーの軸孔の内側傾斜面との弾性反発作用によってアバットメントをフィクスチャーから上部側に押し上げてアバットメントとフィクスチャーを容易に分離させることができる構造であれば、本発明の権利範囲に含まれるものと解釈されるべきである。すなわち、アバットメントと弾性結合されるフィクスチャーの軸孔の内側傾斜面に締結溝からなる第１締結部を備え、アバットメントにこれに対応する第１対応締結部が形成されており、アバットメントとフィクスチャーとの締結状態でフィクスチャーに対してアバットメントを回転させると、フィクスチャーの軸孔の内側傾斜面とアバットメントの下部締結軸部に形成された第１対応締結部とが弾性的に相互作用して、アバットメントをフィクスチャーから上部側に押し上げてアバットメントとフィクスチャーが容易に分離されるようにすれば、いずれも本発明の権利範囲に属する。さらに、本発明の技術的特徴を含めて、単に設計変更された構造もすべて本発明の権利範囲内に属することを予め明らかにしておく。
【符号の説明】
【００７４】
１００    歯科用インプラント
１１０    フィクスチャー（ｆｉｘｔｕｒｅ）
１１２    軸孔
１２０    アバットメント
１２２    締結レッグ
１３０    第１対応締結部
１３２    円弧形の締結突起
１４０    フィクスチャーの軸孔の内側傾斜面
１５０    第１締結部
１４２    締結溝
１６０    第２対応締結部
１６２    第２対応締結部締結平面
１７０    第２締結部
１７２    第２締結部締結平面
１８０    対応傾斜面
１    垂直中心軸
【図１】
0006739526.tif 000002
【図２】
0006739526.tif 000003
【図３（ａ）】
0006739526.tif 000004
【図３（ｂ）】
0006739526.tif 000005
【図４（ａ）】
0006739526.tif 000006
【図４（ｂ）】
0006739526.tif 000007
【図５（ａ）】
0006739526.tif 000008
【図５（ｂ）】
0006739526.tif 000009
【図６（ａ）】
0006739526.tif 000010
【図６（ｂ）】
0006739526.tif 000011
【図７】
0006739526.tif 000012